(57)【要約】      （修正有）【課題】未使用の用紙を容易に取り出すことができる用紙の取出機構を提供する。【解決手段】用紙の取出機構１は、ベース１０及びベース上に設置された用紙２を備え、ベースには、第一スロット１１が設けられ、用紙の一部は、第一スロットの上方に設置され、用紙の取出機構は、ベースの底面に設置されるハンドル２０及び第一スロットを貫通し、且つハンドルに連接される接触部品をさらに備え、ハンドルは、ユーザーによって第一スロットから離れる方向に動かされると、第一スロットに沿って接触部品を動かし、用紙の一部は、接触部品の移動によってベースから押し出される。【選択図】図４
2012254884.tif 000002
【特許請求の範囲】
【請求項１】
ベース及び前記ベース上に設置された用紙を備える用紙の取出機構において、
前記ベースには、第一スロットが設けられ、前記用紙の一部は、前記第一スロットの上方に設置され、
前記用紙の取出機構は、前記ベースの底面に設置されるハンドル及び前記第一スロットを貫通し、且つ前記ハンドルに連接される接触部品をさらに備え、
前記ハンドルは、ユーザーによって前記第一スロット１１から離れる方向に動かされると、前記第一スロットに沿って前記接触部品を動かし、前記用紙の一部は、前記接触部品の移動によって前記ベースから押し出されることを特徴とする用紙の取出機構。
【請求項２】
前記ベースの底面の前記第一スロットの一端に近い箇所には、突部が形成され、前記用紙の取出機構は、一端が前記ハンドルに連接され、且つ他端が前記突部に連接される弾性部品をさらに備え、前記接触部品が前記第一スロットに沿って移動する際、前記弾性部品は、引っぱられ、ユーザーが該ハンドルを放すと、前記ハンドル及び前記接触部品は、前記弾性部品の弾性復帰によって、元の位置に戻ることを特徴とする請求項１に記載の用紙の取出機構。
【請求項３】
前記ハンドルは、取っ手部と、前記取っ手部に連接される連接部及び前記連接部の一端から延伸する延伸部と、を備え、前記弾性部品の一端は、前記延伸部に連接されることを特徴とする請求項２に記載の用紙の取出機構。
【請求項４】
前記接触部品は、接触棒と、第一固定部及び第二固定部と、を備え、前記第一固定部には第一穿孔が設けられ、前記第二固定部には第二穿孔が設けられ、前記ハンドルの前記連接部には第二スロットが設けられ、前記接触棒は、前記第一スロット、前記第一固定部の前記第一穿孔、前記連接部の前記第二スロット及び前記第二固定部の前記第二穿孔を貫通して、前記接触部品を前記ハンドルに連接させることを特徴とする請求項３に記載の用紙の取出機構。
【発明の詳細な説明】
【技術分野】
【０００１】
本発明は、用紙の取出機構に関し、特にプリンタにおける用紙の取出機構に関するものである。
【背景技術】
【０００２】
従来のプリンタは、一般的に、用紙を設置するための用紙トレイを備える。ユーザーは、印刷後、この用紙トレイに残っている未使用の用紙を取り出したい場合がある。しかし、用紙トレイの大きさは、一般的には用紙のサイズと同じであるため、用紙トレイから用紙を取り出しにくい。
【発明の概要】
【発明が解決しようとする課題】
【０００３】
前記課題を解決するために、本発明は、未使用の用紙を容易に取り出すことができる用紙の取出機構を提供する。
【課題を解決するための手段】
【０００４】
本発明に係る用紙の取出機構は、ベース及び前記ベース上に設置された用紙を備え、前記ベースには、第一スロットが設けられ、前記用紙の一部は、前記第一スロットの上方に設置され、前記用紙の取出機構は、前記ベースの底面に設置されるハンドル及び前記第一スロットを貫通し、且つ前記ハンドルに連接される接触部品をさらに備え、前記ハンドルは、ユーザーによって前記第一スロットから離れる方向に動かされると、前記第一スロットに沿って前記接触部品を動かし、前記用紙の一部は、前記接触部品の移動によって前記ベースから押し出される。
【発明の効果】
【０００５】
従来の技術と比べて、本発明に係る用紙の取出機構は、ハンドル及び接触部品を備え、前記接触部品は、前記ハンドルの駆動によって、ベースに設置された未使用の用紙の一部を、前記ベースから押し出すことができる。従って、ユーザーは、容易に用紙を取り出すことができる。
【図面の簡単な説明】
【０００６】
【図１】本発明の実施形態に係る用紙の取出機構の斜視図である。
【図２】図１に示した本発明の実施形態に係る用紙の取出機構を反転させた斜視図である。
【図３】図１に示した本発明の実施形態に係る用紙の取出機構の分解図である。
【図４】図１に示した本発明の実施形態に係る用紙の取出機構が用紙を取り出す際の斜視図である。
【図５】図４に示した本発明の実施形態に係る用紙の取出機構を反転させた斜視図である。
【発明を実施するための形態】
【０００７】
以下、図面を参照して、本発明の実施形態について説明する。
【０００８】
本発明の実施形態に係る用紙の取出機構１は、印刷後、未使用の用紙２を取り出すために用いられる。図１及び図２を参照すると、前記用紙の取出機構１は前記用紙２を設置するためのベース１０を備える。前記ベース１０には、第一スロット１１が設けられ、前記用紙２の一部は、平面視で前記第一スロット１１の上方に設置される。
【０００９】
前記用紙の取出機構１は、さらに、前記ベース１０の底面に設置されるハンドル２０及び前記ハンドル２０に連接される接触部品４０を備え、該接触部品４０は、前記第一スロット１１を貫通する。前記ハンドル２０を外力によって、前記第一スロット１１から離れた方向に動かすと、前記接触部品４０は前記第一スロット１１に沿って移動し、前記用紙２の一部は、該接触部品４０の移動によって前記ベース１０から押し出される。これにより、ユーザーは、容易に前記用紙２を取り出すことができる。
【００１０】
前記用紙の取出機構１は、さらに、弾性部品５０を備える。前記弾性部品５０の第一端部５１は前記ハンドル２０に連接され、前記弾性部品５０の第二端部５２は前記第一スロット１１の一端に近い前記ベース１０上に固定される。
【００１１】
ユーザーが、前記ハンドル２０を、前記第一スロット１１から離れる方向に動かす（つまり、手前に引く）と、前記弾性部品５０は引っぱられ、次いで、ユーザーが前記用紙２を取り出した後、前記ハンドル２０を放すと、前記ハンドル２０及び前記接触部品４０は、前記弾性部品５０の弾性復帰によって元の位置に戻る。本実施形態において、前記弾性部品５０はバネである。他の実施形態において、ユーザーは前記用紙２を取り出した後、自身で前記ハンドル２０を押すことによって、前記ハンドル２０及び前記接触部品４０を元の位置に戻すこともできる。
【００１２】
本発明の更なる理解のために、以下詳細に説明する。
【００１３】
図３を参照すると、前記ハンドル２０は、取っ手部２１と、前記取っ手部２１に連接される連接部２２及び前記連接部２２の一端から延伸する延伸部２３と、を備える。前記連接部２２には、前記第一スロット１１に対して垂直な第二スロット２２０が設けられている。前記取っ手部２１は、ユーザーが前記ハンドル２０を握るために用いられる。
【００１４】
前記ベース１０の底面の前記第一スロット１１の一端に近い箇所には、突部６０が形成されている（図２を参照）。前記弾性部品５０の前記第二端部５２は該突部６０に連接され、前記弾性部品５０の前記第一端部５１は前記ハンドル２０の前記延伸部２３に連接される。
【００１５】
前記接触部品４０は、接触棒４１と、円盤状を呈する第一固定部４２及び第二固定部４３と、を備える。前記第一固定部４２には、第一穿孔４２０が設けられ、前記第二固定部４３には、第二穿孔４３０が設けられる。前記接触棒４１は、中心から斜めに傾いており、前記第一スロット１１、前記第一固定部４２の前記第一穿孔４２０、前記連接部２２の前記第二スロット２２０及び前記第二固定部４３の前記第二穿孔４３０を貫通して、前記第二固定部４３上に固定される。これにより、前記接触部品４０は、前記第二スロット２２０内で、摺動自在に前記ハンドル２０に連接される。また、前記接触棒４１が中心から斜めに傾いていることから、前記ベース１０に設置される前記用紙２と一定の角度を形成する。
【００１６】
前記用紙の取出機構１は、更に、前記ベース１０上に固定される２つの摩擦板７０及び少なくとも２つの固定ブロック８０を備える。前記用紙２は、前記摩擦板７０上に設置され、該摩擦板７０は、前記用紙２と前記ベース１０との間の摩擦を増加させることができる。また、前記少なくとも２つの固定ブロック８０は、前記摩擦板７０と協働して、印刷する際に、複数の前記用紙２が同時に使用されるのを防止するために用いられる。本実施形態において、前記第一スロット１１は湾曲状を呈し、前記少なくとも２つの固定ブロック８０の間に設置される。他の実施形態において、前記第一スロット１１は直線状でも良い。
【００１７】
図４及び図５を参照すると、前記用紙の取出機構１を利用して未使用の前記用紙２を取り出す際、ユーザーは前記取っ手部２１を握り、前記ハンドル２０を前記第一スロット１１から離れた方向に動かす。これにより、前記連接部２２は、前記第一スロット１１に沿って前記接触部品４０を動かし、前記用紙２の一部は、前記接触部品４０の移動によって前記ベース１０から押し出される。従って、ユーザーは、容易に前記用紙２を取り出すことができる。前記接触棒４１が移動する過程において、前記第一スロット１１は湾曲状を呈すため、前記接触棒４１は、前記連接部２２の一端から他端まで移動することができる。また、この時、前記弾性部品５０は、前記ハンドル２０の前記延伸部２３によって引っぱられ、前記用紙２を取り出した後、ユーザーが前記ハンドル２０を放すと、前記ハンドル２０及び前記接触部品４０は、前記弾性部品５０の弾性復帰によって元の位置に戻る。
【符号の説明】
【００１８】
１  用紙の取出機構
２  用紙
１０  ベース
１１  第一スロット
４０  接触部品
２０  ハンドル
２１  取っ手部
２２  連接部
２３  延伸部
２２０  第二スロット
４１  接触棒
４２  第一固定部
４３  第二固定部
４２０  第一穿孔
４３０  第二穿孔
６０  突部
５０  弾性部品
５１  第一端部
５２  第二端部
７０  摩擦板
８０  固定ブロック
【図１】
2012254884.tif 000003
【図２】
2012254884.tif 000004
【図３】
2012254884.tif 000005
【図４】
2012254884.tif 000006
【図５】
2012254884.tif 000007